(57)【特許請求の範囲】
【請求項１】
性別、年齢、身長、体重などの管理対象者の身体に関する情報を記憶する記憶手段と、当該管理対象者の体質改善の目標値を設定する目標値設定手段と、運動による体質改善と食事による体質改善との割合を設定する体質改善割合設定手段と、目標値設定手段によって設定される目標値に前記割合を乗じることで運動による体質改善目標値と食事による体質改善目標値を算出するとともに、記憶手段に記憶している情報と各体質改善目標値とに基づいて運動及び食事の各体質改善目標値を達成するために必要な改善内容を設定する改善内容設定手段と、改善内容設定手段で設定される運動及び食事の各改善内容を対象者に呈示する呈示手段とを備えたことを特徴とする健康管理装置。
【請求項２】
改善内容設定手段は、運動量が異なる複数の改善内容のうちから管理対象者に選択させた改善内容を設定することを特徴とする請求項１記載の健康管理装置。
【発明の詳細な説明】
【技術分野】
【０００１】
本発明は、個人の健康を管理する健康管理装置に関するものである。
【背景技術】
【０００２】
従来、個人の健康を管理する健康管理装置として、特許文献１に記載されているようなものがある。特許文献１に記載されている従来例は、個人データ（性別・年齢・身長・体重・体脂肪率等）に基づいて作成したトレーニングメニューを摂取・運動計のメモリに登録し、この摂取・運動計を当該個人の身体に装着することで個人の運動量を計測してメモリに記憶するとともに、個人が食した食べ物に関するデータを摂取・運動計のメモリに登録させ、摂取・運動計のメモリに登録されている摂取熱量や運動量をコンピュータに読み出して食事制限や新たなトレーニングメニュー等を作成して呈示するものである。
【特許文献１】特開２００６−２７７１６４号公報
【発明の開示】
【発明が解決しようとする課題】
【０００３】
しかしながら、上述のように減量によって体質改善を行う場合、運動によるカロリー消費量の増加と食事による摂取カロリーの削減によって、どのような割合で体質を改善したいのかということを対象者が決めることができず、また、前記割合に応じた適切な運動や食事の改善内容を管理対象者に呈示することができなかった。
【０００４】
本発明は上記事情に鑑みて為されたものであり、その目的は、運動と食事のそれぞれによる体質改善の割合が任意に設定可能であるとともに設定される割合に応じた適切な運動及び食事の改善内容を対象者に呈示することができる健康管理装置を提供することにある。
【課題を解決するための手段】
【０００５】
請求項１の発明は、上記目的を達成するために、性別、年齢、身長、体重などの管理対象者の身体に関する情報を記憶する記憶手段と、当該管理対象者の体質改善の目標値を設定する目標値設定手段と、運動による体質改善と食事による体質改善との割合を設定する体質改善割合設定手段と、目標値設定手段によって設定される目標値に前記割合を乗じることで運動による体質改善目標値と食事による体質改善目標値を算出するとともに、記憶手段に記憶している情報と各体質改善目標値とに基づいて運動及び食事の各体質改善目標値を達成するために必要な改善内容を設定する改善内容設定手段と、改善内容設定手段で設定される運動及び食事の各改善内容を対象者に呈示する呈示手段とを備えたことを特徴とする。
【０００６】
請求項１の発明によれば、管理対象者が自らの生活環境に応じて運動による体質改善と食事による体質改善との割合を設定すれば、設定した割合に応じて算出された運動による体質改善目標値と食事による体質改善目標値を達成するために必要な改善内容が呈示されるので、運動と食事のそれぞれによる体質改善の割合が任意に設定可能であるとともに設定される割合に応じた適切な運動及び食事の改善内容を対象者に呈示することができる。
【０００７】
請求項２の発明は、請求項１の発明において、改善内容設定手段は、運動量が異なる複数の改善内容のうちから管理対象者に選択させた改善内容を設定することを特徴とする。
【０００８】
請求項２の発明によれば、管理対象者の体の状態（例えば、血圧など）や普段の生活状況（例えば、普段から殆ど運動をしないなど）を考慮して運動と食事の改善割合を含めた、より適切な改善内容を設定することができる。
【発明の効果】
【０００９】
本発明によれば、運動と食事のそれぞれによる体質改善の割合が任意に設定可能であるとともに設定される割合に応じた適切な運動及び食事の改善内容を対象者に呈示することができる。
【発明を実施するための最良の形態】
【００１０】
以下、図面を参照して本発明の実施形態を詳細に説明する。本実施形態の健康管理装置１は、管理対象者が住まう住戸Ａに対して遠隔地に設置され、インターネット２０２を介したネットワーク通信機能を有するコンピュータ装置からなる。
【００１１】
ここで、本実施形態の健康管理装置１について説明する前に、本実施形態の健康管理装置１を用いた健康管理システムについて簡単に説明する。図２に示すように、住戸Ａ内に設置された住宅用分電盤（住宅盤）３には、ＡＤＳＬモデムやＣＡＴＶモデムあるいはＯＮＵなどのインターネット接続機器（図示せず）とともに情報ブレーカ３ａと呼ばれるネットワークセキュリティ機器が収納され、住戸Ａ内に設けられたネットワーク（宅内ＬＡＮ）とインターネット２０２とがインターネット接続機器並びに情報ブレーカ３ａを介して接続されている。この情報ブレーカ３ａは、スイッチング機能、ファイアウォール機能、ウィルスチェック機能などの種々のネットワーク関連機能を併せ持つものであって、主にインターネット２０２から宅内ＬＡＮへの不正なアクセスやウィルスの浸入などを防いでいる。
【００１２】
情報ブレーカ３ａが有する複数のポートにＬＡＮケーブル２０３を介して複数のネットワーク機器、図示例ではテレビ受像機２とネットアダプタ４とウェブカメラ９が接続されている。テレビ受像機２は、通常のテレビ放送の受信・表示の機能に加えてＬＡＮケーブル２０３を介したネットワーク通信機能やウェブ・ブラウザ機能などを搭載するとともに、リモコン２ａから送信されるワイヤレス信号による遠隔操作機能を搭載している。また、ウェブカメラ９はＣＣＤやＣＭＯＳからなる固体撮像素子、ズームレンズなどの光学系、パンニング及びチルティングを行うための駆動機構、ウェブサーバ機能を搭載したコンピュータなどを備えている。但し、このようなテレビ受像機２やウェブカメラ９は従来周知であるから詳細な構成についての図示並びに説明は省略する。
【００１３】
ネットアダプタ４は、特定小電力無線通信の機能とネットワーク通信機能とを有し、ワイヤレス中継器５との間で無線通信を行うとともにＬＡＮケーブル２０３を介したテレビ受像機２との通信やインターネット２０２を介した健康管理装置１との通信を行うものである。またワイヤレス中継器５は、特定小電力無線通信の機能と赤外線通信機能とを有し、ネットアダプタ４との間で無線通信を行うとともに、後述する他動運動機器８や活動量計６および体組成計７との間で赤外線通信を行うものである。すなわち、ワイヤレス中継器５の通信可能エリア内に存在する他動運動機器８や活動量計６や体組成計７から、送信元および送信先のＩＤを含む赤外線信号が送信され、この赤外線信号をワイヤレス中継器５が受信すると、ワイヤレス中継器５は受信した赤外線信号の通信プロトコルを変換して無線電波により送信する。そして、ネットアダプタ４が、ワイヤレス中継器５から送信された無線電波を受信すると、無線電波により送信された信号のプロトコル変換を行い、送信先のＩＤが示すネットワーク機器（テレビ受像機２或いは健康管理装置１）へ信号を送信する。
【００１４】
他動運動機器８は使用者に対して他動的な運動を行わせるものであり、例えば、使用者が跨いで着座する鞍状の座席部を揺動運動させることによって、乗馬運動を模した運動負荷を与える乗馬型の運動機器である。図３は他動運動機器８の概略的なブロック図を示し、マイクロコンピュータよりなる制御部８１と、鞍状の座席部８２を揺動運動させる駆動部８３と、外部との間で赤外線通信を行う赤外線通信部８４と、電源のオン／オフ操作や、運動メニューの選択操作や、座席部８２を揺動させる速さや運動時間などの選択操作を行うための操作部８５と、座席部８２を様々なパターンで揺動させるためのプログラムを記憶した記憶部８６とを備えている。
【００１５】
活動量計６は、扁平な装置本体６０に図４に示す回路構成要素を内蔵したもので、装置本体６０を管理対象者のベルト等に装着して使用される。ここで、装置本体６０に内蔵される回路構成要素としては、例えば３軸の加速度センサ６１と、この加速度センサ６１の出力信号をＡ／Ｄ変換して得た検出出力をもとに、当該活動量計６を装着した管理対象者の身体活動強度（単位：METs）並びに身体活動量（単位：Ex）を演算する演算処理部６２と、時刻データを演算処理部６２に与える計時部６３と、入力操作部６４と、例えばフラッシュメモリなどの不揮発性メモリからなり、演算処理部６２の演算結果や個人の属性データなどを記憶するための記憶部６５と、例えば液晶表示器からなる表示部６６と、ワイヤレス中継器５との間で赤外線通信を行う赤外線通信部６７と、電池ＢＴを電源として各回路要素の動作に必要な所定の電圧を得る定電圧回路６８とを備えている。
【００１６】
入力操作部６４は、当該活動量計６の動作モードを計測モード、データ設定モード、出力表示処理モード、又はデータ転送モード等に切り替えるモード切替操作や、表示部６６に表示される表示画面でのカーソル操作や確認操作、或いは、データ設定モードにおいて活動量の算出に用いる個人の属性データ（例えば年齢、性別、身長、体重、目的、健康状態（既往症歴）、地域）を入力するデータ入力操作に用いられる。
【００１７】
活動量計６の演算処理部６２は、活動量計６に予め組み込まれたプログラムに基づいて、管理対象者の身体活動量を算出するためのデータ処理を行うものであり、入力操作部６４を用いてデータ設定モードに切り替えられると、表示部６６の表示を制御してデータ入力画面を表示させ、当該データ入力画面において、上記属性データの入力を管理対象者に促すためのガイダンスなどを表示させ、入力操作部６４を用いて属性データが入力されると、入力データを記憶部６５に書き込み、以後の演算処理では記憶部６５から読み込んだ属性データを活動量の演算に使用するようになっている。
【００１８】
また演算処理部６２の動作モードが、入力操作部６４を用いて計測モードに切り替えられると、演算処理部６２は、加速度センサ６１から入力される加速度の検出出力に基づいて、身体活動強度、さらには身体活動強度に活動時間を乗算した身体活動量の算出処理を行うとともに、算出結果を記憶部６５に書き込む処理を行い、且つ、算出結果を表示部６６にリアルタイムで表示するようになっている。
【００１９】
さらに演算処理部６２の動作モードが、入力操作部６４を用いて出力表示処理モードに切り替えられると、演算処理部６２は、記憶部６５に記憶されているデータや演算処理結果に基づいて、個人の属性データや活動量の測定結果などを表示部６６に表示させる処理を行う。
【００２０】
さらにまた演算処理部６２の動作モードが、入力操作部６４を用いてデータ転送モードに切り替えられると、演算処理部６２は、記憶部６５に記憶されている身体活動量のデータを赤外線信号によって赤外線通信部６７からワイヤレス中継器５へ送信させる。
【００２１】
体組成計７は、図２に示すように扁平な直方体状の装置本体７０を有し、装置本体７０の上面には、装置本体７０に乗せられた左右の足の足裏がそれぞれ当接する部位に電極部７１ａ，７１ａが配置されるとともに、装置本体７０の左右方向における中央部には測定結果などを表示するための液晶ディスプレイからなる表示部７２が配置されている。
【００２２】
装置本体７０に内蔵される回路構成要素としては、図５に示すように装置本体７０に乗った人の体重を測定する重量センサ７３と、左右の電極部７１ａ，７１ａ間に微弱な電流を流して、人体の電気抵抗（生体インピーダンス）を測定する生体インピーダンス測定部７１と、体組成計７の動作モードを計測モードや設定モード等に切り替える操作や、設定モードにおいて個人の属性データ（例えば年齢、性別、身長など）を入力する操作を行うための入力操作部７４と、生体インピーダンス測定部７１の測定結果をもとに測定対象者の体脂肪率を演算により求めるとともに、表示部７２の表示を制御して重量センサ７３の検出結果や体脂肪率の演算結果を表示部７２の画面に表示させる演算処理部７５と、例えばフラッシュメモリなどの不揮発性メモリからなり、演算処理部７５の演算結果や個人の属性データなどを記憶するための記憶部７６と、ワイヤレス中継器５との間で赤外線通信を行う赤外線通信部７７と、電池を電源として各回路要素の動作に必要な所定の電圧を得る電池電源部７８とを備えている。
【００２３】
上述のように構成される宅内ネットワーク（宅内ＬＡＮ）においては、ネットワーク端末であるテレビ受像機２並びにネットアダプタ４、ウェブカメラ９にプライベートＩＰアドレスが割り当てられ、住宅盤３内に設置されているインターネット接続機器のＮＡＴ（ネットワークアドレス変換）機能を用いてテレビ受像機２やネットアダプタ４、ウェブカメラ９がインターネット２０２を介して通信することができる。また、他動運動機器８、活動量計６、体組成計７にはそれぞれ固有のＩＤが割り当てられているが、ワイヤレス中継器５からネットアダプタ４に送信されるデータに付与された個々のＩＤをネットアダプタ４においてプライベートＩＰアドレスに変換し、当該データをＩＰパケットに格納して宅内ＬＡＮやインターネット２０２に送信することができる。
【００２４】
次に、本実施形態の健康管理装置１について説明する。本実施形態の健康管理装置１は、後述する健康管理サービスを管理対象者に提供するサービス提供者の管理センタに設置されており、図１に示すようにインターネット２０２を介してネットワーク通信を行うためのネットワークインタフェース（I／Ｆ）部１０と、半導体メモリやハードディスク装置などからなる記憶部１１と、ネットワーク端末（住戸Ａに設置されているテレビ受像機２など）に搭載されているウェブブラウザに対してウェブページなどのコンテンツを提供するウェブサーバ部１２と、管理対象者の体質改善の目標値を設定する目標値設定部１３と、運動による体質改善と食事による体質改善との割合を設定する体質改善割合設定部１４と、目標値設定部１３によって設定される目標値に前記割合を乗じることで運動による体質改善目標値と食事による体質改善目標値を算出するとともに、記憶部１１に記憶している管理対象者の身体に関する個人情報（性別、年齢、身長、体重など）と各体質改善目標値とに基づいて運動及び食事の各体質改善目標値を達成するために必要な改善内容を設定する改善内容設定部１５と、後述するように活動量計６で計測した管理対象者の活動量並びに管理対象者が申告した食事内容に応じて体質改善目標値に対する達成度を判断する達成度判断部１６と、後述するように管理対象者の外観予想画像を作成する外観予想画像作成部１７と、各部を統括的に制御する制御部１８とを備えている。但し、ネットワークＩ／Ｆ部１０並びに記憶部１１を除く各部は、マイクロコンピュータにウェブブラウザや健康管理用のプログラム、画像処理用のプログラムを実行させることで実現される。
【００２５】
以下、体質改善の一種である減量（ウェイトコントロール）を例示して、本実施形態の健康管理装置１の動作（健康管理サービスの内容）を説明する。
【００２６】
健康管理サービスの提供を受けようとする希望者（管理対象者）は、テレビ受像機２のウェブブラウザを使って健康管理装置１のウェブサーバ部１２が配信する健康管理サービスのホームページにアクセスし、さらに当該ホームページからリンクしている利用者登録のウェブページＷ０にアクセスして新規に利用者登録を行う。この利用者登録のウェブページＷ０には、希望者（管理対象者）の呼び名（ニックネーム）、誕生年月、性別、身長、体重などの個人情報を登録するためのボックスＢ０１〜Ｂ０６がそれぞれ表示され（図６参照）、希望者（管理対象者）がテレビ受像機２の画面に表示されている当該ウェブページＷ０を見ながらリモコン２ａを操作して各ボックスに入力すると、各項目の入力内容がテレビ受像機２のウェブブラウザから健康管理装置１のウェブサーバ部１２に返信され、ウェブサーバ部１２で受け取った個人情報が制御部１８を介して記憶部１１に格納される。さらに、後述する外観予想画像を作成するため、ウェブカメラ９で撮像した希望者（管理対象者）の画像（静止画像）が健康管理装置１のウェブサーバ部１２に送信され、個人情報とともに記憶部１１に格納されることによって管理対象者の登録作業が完了する。尚、制御部１８は、登録されている管理対象者毎に固有のウェブページ（以下、個人用ホームページと呼ぶ。）を作成して記憶部１１に記憶させる。従って、登録済みの管理対象者は、健康管理サービスのホームページからログインした後、当該ホームページからリンクしている自らの個人用ホームページにアクセスすることができる。
【００２７】
利用者登録が完了した後に最初に個人用ホームページにアクセスすると、健康管理装置１の目標値設定部１３並び体質改善割合設定部１４が制御部１８を通じてウェブサーバ部１２に目標値及び体質改善割合設定用のウェブページＷ１をテレビ受像機２のウェブブラウザへ送信させる。このウェブページＷ１では、図７に示すように改善する期間を入力（選択）するためのボックスＢ１１、減量目標値を入力（選択）するためのボックスＢ１２、体質改善割合を入力（選択）するためのボックスＢ１３のほか、各ボックスＢ１１〜Ｂ１３の入力内容を初期化するクリアボタンＢ１４や入力内容を決定して健康管理装置１のウェブサーバ部１２へ送信させる決定ボタンＢ１５、後述する目標達成率を表示するためのウェブページへリンクするリンクボタンＣ２などが含まれている。図示例では、３ヶ月で３kgの減量を目標とし、さらに運動によるカロリー消費で目標を達成する割合を３０％、食事制限による摂取カロリーの削減で目標を達成する割合を７０％にそれぞれ設定している。そして、テレビ受像機２のウェブブラウザから上記目標値や体質改善割合の設定値を受け取った健康管理装置１の目標値設定部１３並び体質改善割合設定部１４は、それぞれ制御部１８を介して目標値や体質改善割合の設定値を当該管理対象者と対応付けて記憶部１１に記憶させる。
【００２８】
体質改善（減量）の目標値と体質改善割合が設定されると、健康管理装置１の改善内容設定部１５は、目標値に体質改善割合を乗じることで運動による体質改善目標値と食事による体質改善目標値を算出するとともに、記憶部１１に記憶している個人情報と各体質改善目標値とに基づいて運動及び食事の各体質改善目標値を達成するために必要な改善内容を設定する。例えば、管理対象者の体重や身長等の個人情報を考慮して１日に約２３０kcalのエネルギを減らすことで３ヶ月の期間で３kgの減量が可能であるとした場合、１日に運動で消費すべきエネルギが７０kcal、食事制限で減らすべきエネルギが１６０kcalと算出される。改善内容設定部１５では、上記算出結果を表示するためのウェブページを作成し、制御部１８からウェブサーバ部１２を介して当該ウェブページをテレビ受像機２のウェブブラウザへ送信する。このウェブページＷ２では、図８（ａ）に示すように改善内容設定部１５が算出した改善内容、すなわち、１日当たりに減らすべきエネルギ値（２３０kcal）、運動による体質改善目標値（７０kcal）、食事制限による体質改善目標値（１６０kcal）がそれぞれ縦方向に並べて表示される。また、運動による体質改善目標値並びに食事制限による体質改善目標値の横には、それぞれ具体的な改善内容（運動コース、食事制限の対象とする食事）を表示・選択するためのウェブページＷ２１，Ｗ２２にリンクしたボタンＢ２１，Ｂ２２が表示されている。
【００２９】
ボタンＢ２１をクリックして表示されるウェブページＷ２１には、図８（ｂ）に示すように体質改善目標値（７０kcal）を達成するためにしなければならない運動の改善内容（運動コース）が複数種類（図示例では２種類）表示されている。一方の運動コースは、「３METs以上の活動量を、今より週に１２Ex増やす」ものであり、他方の運動コースは、「４METs以上の活動量を、今より週に８Ex増やす」ものであって、これら２つの運動コースは互いに運動量（活動量）が異なっている。そして、管理対象者が自らの体の状態（例えば、血圧など）や普段の生活状況（例えば、普段から殆ど運動をしないなど）を考慮して何れかのコースを選択して決定ボタンＢ２３をクリックすることにより、選択された運動コースの内容（改善内容）が健康管理装置１の記憶部１１に記憶される。但し、選択した運動コースの具体例、例えば、他動運動機器８で１０分間の運動をするとか、２０分間の歩行（ウォーキング）を行うといった助言を表示したウェブページを運動コースの決定後に表示するようにしても構わない。このように複数種類の改善内容のうちから管理対象者に選択させることによって、運動と食事の改善割合を含めた、より適切な改善内容を設定することができる。
【００３０】
また、ボタンＢ２１をクリックして表示されるウェブページＷ２２には、図８（ｃ）に示すように体質改善目標値（１６０kcal）を達成するために控えることが望ましい食事、例えば、揚げ物、ご飯類、卵料理などの複数種類（図示例では４種類）の食事の写真Ｐ１〜Ｐ４が表示されている。そして、これら複数種類の食事の中から管理対象者が自ら控えようとする食事を選択し、選択した食事の写真Ｐ１〜Ｐ４の下に表示されているチェックボックスＣＢにチェックを入れて決定ボタンＢ２４をクリックすることにより、選択された食事の種類が健康管理装置１の記憶部１１に記憶される。
【００３１】
上述のようにして初期設定が完了した後、活動量計６で計測した管理対象者の活動量データや体組成計７で計測した管理対象者の体重データ、他動運動機器８で運動を行った時間（運動時間）、管理対象者が実際に食べた食事内容の実績データがインターネット２０２を介して健康管理装置１に送信されると、健康管理装置１の達成度判断部１６では、管理対象者が設定した運動及び食事制限の各体質改善目標値に対する達成度、例えば、減量を開始してから現在までに体重が減った量や実際に行われた運動量（身体活動量）の１日当たりの平均値などを判断する。尚、活動量データ並びに体重データ、運動時間データはそれぞれ活動量計６や体組成計７、他動運動機器８から赤外線通信でワイヤレス中継器５に送信され、ワイヤレス中継器５からネットアダプタ４を介して健康管理装置１に送信される。また、管理対象者が実際に食べた食事内容の実績データについては、健康管理装置１のウェブサーバ部１２から配信される実績入力用のウェブページを使って管理対象者自身が入力する。
【００３２】
そして、達成度判断部１６で判断された達成度を表示するウェブページがウェブサーバ部１２からテレビ受像機２へ配信され、テレビ受像機２の画面に表示される当該ウェブページによって管理対象者に達成度を知らせることができる。
【００３３】
最後に、外観予想画像作成部１７について説明する。例えば、個人用ホームページに外観予想画像を表示するためのウェブページにリンクするボタン（図示せず）を設けておき、当該ボタンがクリックされると健康管理装置１の外観予想画像作成部１７が外観予想画像の作成処理を開始する。外観予想画像作成部１７による作成処理は、記憶部１１から読み出した管理対象者の外観画像を周知の画像処理技術を利用して加工することにより、体質改善目標（上述の例では３kgの減量）が達成された場合の管理対象者の外観予想画像を作成するものである。具体的には、腰回りや頬の輪郭を細くするような加工が行われる。そして、外観予想画像作成部１７によって作成された外観予想画像は、制御部１８によって記憶部１１に格納されるとともに外観予想画像を表示するためのウェブページに貼り付けられてテレビ受像機２のウェブブラウザへ送信される。
【００３４】
而して、テレビ受像機２のウェブブラウザが健康管理装置１から受信したウェブページを画面に表示すれば外観予想画像を管理対象者に呈示することができ、体質改善目標を達成した場合の効果を予め確認することができる。尚、外観予想画像を表示するウェブページに初期登録時の外観画像を一緒に表示しても構わない。
【００３５】
上述のように本実施形態の健康管理装置１によれば、運動と食事のそれぞれによる体質改善の割合が任意に設定可能であるとともに設定される割合に応じた適切な運動及び食事の改善内容を管理対象者に呈示することができる。
【図面の簡単な説明】
【００３６】
【図１】本発明に係る健康管理装置の実施形態を示すブロック図である。
【図２】同上を使用した健康管理システムのシステム構成図である。
【図３】同上の健康管理システムに用いる他動運動機器のブロック図である。
【図４】同上の健康管理システムに用いる活動量計のブロック図である。
【図５】同上の健康管理システムに用いる体組成計のブロック図である。
【図６】同上における新規利用者登録用のウェブページの説明図である。
【図７】同上における目標値設定用のウェブページの説明図である。
【図８】（ａ）〜（ｃ）は同上における体質改善内容表示用のウェブページの説明図である。
【符号の説明】
【００３７】
１  健康管理装置
１０  ネットワークインタフェース部
１１  記憶部
１２  ウェブサーバ部
１３  目標値設定部
１４  体質改善割合設定部
１５  改善内容設定部
【図１】
0004956353.tif 000002
【図２】
0004956353.tif 000003
【図３】
0004956353.tif 000004
【図４】
0004956353.tif 000005
【図５】
0004956353.tif 000006
【図６】
0004956353.tif 000007
【図７】
0004956353.tif 000008
【図８】
0004956353.tif 000009